(57)【要約】【課題】内股が開いた人が着用して脚線を矯正できて、介護を必要とする老人等にとって、就寝時に両膝を合わせた状態に簡単に拘束できて腰痛の予防になり、有事には弱い力で拘束を解くことができる就寝時両膝拘束用バンドを提供する。【解決手段】就寝時両膝拘束用バンド１０は、バンド本体１１と面状ファスナ１２と掴み部１４とからなる。バンド本体１１は表層側の伸縮性布地１１aとバンド用布地１１ｂとからなる。伸縮性布地１１ａは、就寝時両膝拘束用バンド面ファスナとの密着結合が可能に起毛されている。バンド用布地１１ｂは伸び率が幅方向に小さく長手方向に大きいバンド用布地である。バンド本体１１は、長さが両膝部を約１．１〜１．５巻きできる大きさでありかつ幅が掌の幅よりも若干大きい大きさの帯状である。面状ファスナ１２は縫い込みにより取り付けられている。掴み部１４は伸縮性布地１１aの表面の端に布地を縫い合わせて形成されている。【選択図】  図１
0003139695.tif 000002
【実用新案登録請求の範囲】
【請求項１】
面ファスナとの密着結合が可能に起毛された伸縮性布地の裏面にバンド用布地を積層してなり、長さが両膝部を一巻きしてさらに固定のために必要な重ね合わせ部を確保できる大きさでありかつ前記重ね合わせ部の幅が掌の幅よりも若干大きい大きさである、全体として略帯状のバンド本体と、
前記バンド本体の一端の裏面にこのバンド本体の幅に合わせて縫い合わされた面状ファスナと、
前記バンド本体の前記面状ファスナに対応する表面に布地を縫い合わせて形成された掴み部と、を備え、
前記掴み部は、ポケット底部が前記バンド本体の長手方向の端縁に対応するようにポケット形状に形成され、かつ、前記ポケット底部に親指以外の指を抜き出せる指抜き出し穴を有し、該指抜き出し穴より親指以外の指を抜き出した状態で掌を収められかつ親指をポケットの外に出して該親指と指親指以外の指とで握ることができるポケット形状に形成されている、
ことを特徴とする就寝時両膝拘束用バンド。
【考案の詳細な説明】
【技術分野】
【０００１】
本考案は、就寝時に両膝を合わせた状態に巻いて拘束し寝姿や腰痛の改善を図るための就寝時両膝拘束用バンドに関するものである。
【背景技術】
【０００２】
内股が開いた状態の歩行姿は、美容的観点から良くない。内股が開いたＯ脚となる原因の多くの割合は寝姿が悪いことにより骨盤や関節の歪みを引き起こし、体全体のバランスが崩れることにある。骨盤や関節の歪みを引き起こした状態を放置すると、さらに腰痛等の病気を引き起こし、健康上好ましくない。
【０００３】
従来、内股が開いた状態を矯正する技術として脚線矯正具が提案されている（特許文献１）。この脚線矯正具の一つとして、筒状のサポータで両膝を捲いて面ファスナで閉じ合せる脚線矯正具が開示されている。
【特許文献１】実開平３−９６８１２号公報
【考案の開示】
【考案が解決しようとする課題】
【０００４】
しかしながら、就寝時に、老人や下肢の不自由な被介護人が下肢を特許文献１の脚線矯正具を用いて拘束した状態で有事が発生した際、面ファスナの結合強度が大きすぎて結合を解けず、下肢が脚線矯正具で拘束されたままになる虞があり、速やかに行動を起こすことができないので、脚線矯正具の拘束が容易に解けるように改善する必要がある。
【０００５】
特に、介護を必要とする老人や下肢の不自由な被介護人にとって、就寝時に両膝を合わせた状態に簡単に拘束できて腰痛の予防になり、弱い力を効率的に拘束を解く力として発揮できる拘束具は提供されてこなかった。
【０００６】
本考案は、かかる点に鑑みてなされたものであり、内股が開いたＯ脚の人が着用して脚線を矯正することができて腰痛の予防になり、介護を必要とする老人や下肢の不自由な被介護人にとって、就寝時に両膝を合わせた状態に簡単に拘束できて腰痛の予防になり、着用中に有事が発生した場合には弱い力を効率的に拘束を解く力として発揮でき、介護人による被介護人への着脱を軽減させる就寝時両膝拘束用バンドを提供することを目的とする。
【課題を解決するための手段】
【０００７】
上記課題を解決するため、本考案の就寝時両膝拘束用バンドは、面ファスナとの密着結合が可能に起毛された伸縮性布地の裏面にバンド用布地を積層してなり、長さが両膝部を一巻きしてさらに固定のために必要な重ね合わせ部を確保できる大きさでありかつ前記重ね合わせ部の幅が掌の幅よりも若干大きい大きさである、全体として略帯状のバンド本体と、前記バンド本体の一端の裏面にこのバンド本体の幅に合わせて縫い合わされた面状ファスナと、前記バンド本体の前記面状ファスナに対応する表面に布地を縫い合わせて形成された掴み部と、を備え、前記掴み部は、ポケット底部が前記バンド本体の長手方向の端縁に対応するようにポケット形状に形成され、かつ、前記ポケット底部に親指以外の指を抜き出せる指抜き出し穴を有し、該指抜き出し穴より親指以外の指を抜き出した状態で掌を収められかつ親指をポケットの外に出して該親指と指親指以外の指とで握ることができるポケット形状に形成されている、ことを特徴とする。
【考案の効果】
【０００８】
本考案によれば、内股が開いたＯ脚の人が着用して脚線を矯正することができて腰痛の予防になり、また、介護を必要とする老人や下肢の不自由な被介護人にとって、就寝時に両膝を合わせた状態に簡単に拘束できて腰痛の予防になり、着用中に有事が発生した場合には弱い力を効率的に拘束を解く力として発揮でき、介護人による被介護人への着脱を軽減させることができ、さらに一般的に、寝ながら動き回る等の寝姿を改善でき、足を拘束することで布団ずれを無くし冷え性を改善できる。
【考案を実施するための最良の形態】
【０００９】
以下、本考案を実施の形態を図面を参照して説明する。
【００１０】
〔実施の形態１〕
図１（ａ），（ｂ）に示すように、この実施の形態の就寝時両膝拘束用バンド１０は、バンド本体１１と、２つの面状ファスナ１２,１３と、掴み部１４とを備えてなる。
【００１１】
バンド本体１１は、表層側の伸縮性布地１１aと、伸縮性布地１１aの裏面に積層されたバンド用布地１１ｂとからなる。伸縮性布地１１aとバンド用布地１１ｂとは、適宜手段と耐久性を有するように強固に密着され、周縁を開かないように縁縫いされている。伸縮性布地１１ａは、就寝時両膝拘束用バンド面ファスナとの密着結合が可能に起毛された伸縮性布地である。バンド用布地１１ｂは、例えば、腰バンドやサポータ等に用いられる、伸び率が幅方向に小さく長手方向に大きいバンド用布地である。バンド本体１１は、長さが両膝部を約１．１〜１．５巻き（好ましくは約１．２巻き）できる大きさでありかつ幅が掌の幅よりも若干大きい大きさの帯状である。なお、バンド本体１１は、中程で広幅になっていたり、細幅になっていても良く、全体として概略帯状であれば良い。
【００１２】
２つの面状ファスナ１２,１３は、バンド本体１１のバンド用布地１１ｂの面に縫い込みにより取り付けられている。面状ファスナ１２は、バンド本体１１の端に取り付けられる。面状ファスナ１３は、バンド本体１１で両膝部を一巻きにしたときに、バンド本体１１の他端に重なるように取り付けられる。面状ファスナ１２と面状ファスナ１３の隙間間隔は、両膝部を約１．１〜１．５巻きしたときの重なり部分の長さによって決める。これは、面状ファスナ１３を変更可能に取り付けることを意味するものでない。面状ファスナ１２と面状ファスナ１３とは、いずれもバンド用布地１１ｂの面に固設され、隙間間隔を開けないで固設される場合と、開けて固設される場合とがある。
面状ファスナ１２,１３は、フック状に起毛されたタイプを用いるのが好ましい。
面状ファスナ１２,１３は、まとめて1つであっても良い。また、面状ファスナ１３がなくても良い。
【００１３】
掴み部１４は、面状ファスナ１２と表裏の位置に対応するように、バンド本体１１の伸縮性布地１１aの表面の端に耐久性・高張力がある布地を縫い合わせて形成されてなる。
【００１４】
この実施の形態の就寝時両膝拘束用バンド１０は、図２（ａ）,（ｂ）に示すように、人Ｍの就寝時に両膝Ｎを合わせた状態に巻き付けると、面状ファスナ１２,１３が伸縮性布地１１ａの表面の起毛に係合するので、就寝時に両膝Ｎを合わせた状態に簡単に拘束できる。これにより、就寝時両膝拘束用バンド１０は、内股が開いたＯ脚の人が着用して脚線を矯正することができ、腰痛の予防になり、介護を必要とする老人や下肢の不自由な被介護人にとって、腰痛の予防になる。
【００１５】
着用中に有事が発生した場合には、介護を必要とする老人や下肢の不自由な被介護人にとって、介護人による拘束を解除してもらうのではなくて、自分で拘束を解除できる必要がある。
【００１６】
そこで、図３（ａ），（ｂ）に示すように、この掴み部１４は、バンド本体１１の伸縮性布地１１aの表面の端にミシン目ｍ１、ｍ２、ｍ３で示すように縫い合わされている。
この掴み部１４は、このミシン目ｍ１、ｍ２、ｍ３の位置と形が示すように、ポケット底部１４ａがバンド本体１１の長手方向の端縁に対応するようにポケット形状に形成され、かつ、ポケット底部１４ａに親指以外の指ｆ1〜ｆ４を抜き出せる指抜き出し穴１４ｂを有し、該指抜き出し穴１４ｂより親指以外の指ｆ1〜ｆ４を抜き出した状態で掌ｐを収められかつ親指ｆ５をポケットの外に出して該親指ｆ５と指親指以外の指ｆ1〜ｆ４とで握ることができるポケット形状に形成されている。
【００１７】
この掴み部１４は、ポケット形状であり、掌を上に向けてポケットに挿し込める方の手Ｈを使って面状ファスナ１３の引き剥がしを行う。この場合、ポケット入口に湾曲縁１４ｃを設けて寸法Ａを小さくしたことで、小さな手でも、親指ｆ５と指親指以外の指ｆ1〜ｆ４とで握り易くなっていると共に、ミシン目ｍ３を設けたことと相俟って、指親指以外の指ｆ1〜ｆ４をポケットに突っ込むだけで、面状ファスナ１２の端縁部の両コーナーが剥離されるように引き上げられ気味になる。
【００１８】
従って、就寝時着用中に有事が発生した場合には、介護を必要とする老人や下肢の不自由な被介護人自身が、指親指以外の指ｆ1〜ｆ４をポケットに突っ込んで握りしめると、拘束を解く力として発揮でき、極めて弱い力で、面状ファスナ１２を端縁より引き剥がすことができ、その後の面状ファスナ１３の引き剥がしを容易に行える。もって、介護人による被介護人への着脱を軽減させることができる。
【００１９】
〔その他の実施の形態〕
本考案は、上記実施の形態にこれに限定されるものでなく、実用新案登録請求の範囲に記載された考案の要旨を逸脱しない範囲内での種々、設計変更した形態を技術的範囲に含むものである。
【００２０】
面ファスナは、フック状に起毛された側とループ状に密集して起毛された側とを押し付けるとそれだけで貼り付くようになっており、貼り付けたり剥がしたりすることが自在にできる。本考案の場合、面状ファスナ１２、１３には、フック状に起毛された側の面ファスナを用いる。ループ状に密集して起毛された側として、伸縮性布地１１ａを用いる。
【００２１】
従って、伸縮性布地１１ａの表面性状は、面状ファスナ１２、１３が貼り付くようになっている。なお、バンド本体１１で両膝部を巻いたときの伸縮性布地１１aの、面状ファスナ１２,１３との重なり部分に、伸縮性布地１１ａとは別途に、ループ状に密集して起毛された面状ファスナが縫い込みにより取り付けられていても良い。
【００２２】
本考案の面ファスナには、上記実施の形態以外に、フックとループ両方が植え込まれており、フック面とループ面との区別のないタイプ（フック面とループ面との取り付け間違いが起きない）やマッシュルーム状に起毛されていて結合力が強いクリックタイプ、鋸歯状のシャークバイト（鮫歯）タイプなどを採用した場合も含まれる。
【図面の簡単な説明】
【００２３】
【図１】実施の形態１に係り、（ａ）は就寝時両膝拘束用バンドを示す平面図、（ｂ）は側面図である。
【図２】（ａ）は図１の就寝時両膝拘束用バンドの使用状態図、（ｂ）は使用状態の断面図である。
【図３】（ａ）は図１の就寝時両膝拘束用バンドの使用状態より取り外す際の断面図、（ｂ）取り外す際の要部拡大正面図である。
【符号の説明】
【００２４】
１０  就寝時両膝拘束用バンド
１１  バンド本体
１１ａ  伸縮性布地
１１ｂ  バンド用布地
１２，１３  面状ファスナ
１４  掴み部
１４ａ  ポケット底部
１４ｂ  指抜き出し穴
１４ｃ  湾曲縁
【図１】
0003139695.tif 000003
【図２】
0003139695.tif 000004
【図３】
0003139695.tif 000005